(57)【要約】【課題】ＲＦＩＤタグの通信設定情報について、必要な設定値の入力又は確認が自動で行われ、誤操作を防止するＲＦＩＤタグエンコードシステムを提供すること。【解決手段】ＲＦＩＤタグＴが複数列配置又は単列配置された用紙ＰのＲＦＩＤタグＴに読み書きを行うＲＦＩＤタグエンコードシステム１であって、用紙Ｐを搬送する搬送部である第１搬送部１１０と、各部の制御を行う制御部と、搬送過程において、ＲＦＩＤタグＴに予め書き込まれたデータを読み取る読取部２０、及び読取部２０の下流側に位置し、ＲＦＩＤタグＴにデータを書き込む書込部４０とを備え、読取部２０が、ＲＦＩＤタグＴに予め書き込まれた第１の通信設定情報に係るコードを読み取り、制御部が、第１の通信設定情報と、制御部に予め設定されていたＲＦＩＤタグＴの第２の通信設定情報とを照合する。【選択図】図３
2015176173.tif 000002
【特許請求の範囲】
【請求項１】
ＲＦＩＤタグが複数列配置又は単列配置された用紙の前記ＲＦＩＤタグに読み書きを行うＲＦＩＤタグエンコードシステムであって、
前記用紙を搬送する搬送部と、
各部の制御を行う制御部と、
搬送過程において、前記ＲＦＩＤタグに予め書き込まれたデータを読み取る読取部、及び前記読取部の下流側に位置し、前記ＲＦＩＤタグにデータを書き込む書込部とを備え、
前記読取部が、前記ＲＦＩＤタグに予め書き込まれた第１の通信設定情報に係るコードを読み取り、
前記制御部が、前記第１の通信設定情報と、前記制御部に予め設定されていた前記ＲＦＩＤタグの第２の通信設定情報とを照合する
ことを特徴とするＲＦＩＤタグエンコードシステム。
【請求項２】
前記第１及び第２の通信設定情報が、前記ＲＦＩＤタグに係る出力、周波数、出力間隔、ＲＦＩＤの種類及びＲＦＩＤの横方向のピッチのうち少なくとも一つを含む
ことを特徴とする請求項１に記載のＲＦＩＤタグエンコードシステム。
【請求項３】
前記制御部が、前記第１の通信設定情報と前記第２の通信設定情報とが異なる場合に、作業を中断してオペレータへの通知を行う
ことを特徴とする請求項１又は２に記載のＲＦＩＤタグエンコードシステム。
【請求項４】
前記制御部が、前記第１の通信設定情報と前記第２の通信設定情報とが異なる場合に、前記第２の通信設定情報を前記第１の通信設定情報に自動的に書き換えて作業を続行する
ことを特徴とする請求項１〜請求項３のいずれか一項に記載のＲＦＩＤタグエンコードシステム。
【発明の詳細な説明】
【技術分野】
【０００１】
本発明は、ＲＦＩＤタグエンコードシステム、特に、ＲＦＩＤタグから通信設定情報を取り込むＲＦＩＤタグエンコードシステムに関する。
【背景技術】
【０００２】
原稿用紙と印刷用紙に付したＲＦＩＤタグ情報から印刷モードを自動的に設定する画像情報装置（具体的には、複合型デジタル複写機）が知られている（例えば、特許文献１参照）。これに対し、各種商品に添付される多種多様な商品タグとして用いられるＲＦＩＤタグについて、正確な商品情報を書き込んでロスの発生を極力抑制し、また、書き込みプロセスをより一層効率化するための技術が求められている。
【先行技術文献】
【特許文献】
【０００３】
【特許文献１】特開２００５−３１６１８９号公報
【発明の概要】
【発明が解決しようとする課題】
【０００４】
本発明は、ＲＦＩＤタグの通信設定情報について、必要な設定値の入力又は確認が自動で行われ、誤操作を防止するＲＦＩＤタグエンコードシステムを提供する。また、ＲＦＩＤタグと通信する時に、最適な通信条件で通信することができるＲＦＩＤタグエンコードシステムを提供する。
【課題を解決するための手段】
【０００５】
（１）本発明に係る第１の態様は、ＲＦＩＤタグが複数列配置又は単列配置された用紙の前記ＲＦＩＤタグに読み書きを行うＲＦＩＤタグエンコードシステムであって、用紙を搬送する搬送部と、各部の制御を行う制御部と、搬送過程において、ＲＦＩＤタグに予め書き込まれたデータを読み取る読取部、及び読取部の下流側に位置し、ＲＦＩＤタグにデータを書き込む書込部とを備え、読取部が、ＲＦＩＤタグに予め書き込まれた第１の通信設定情報に係るコードを読み取り、制御部が、第１の通信設定情報と、制御部に予め設定されていたＲＦＩＤタグの第２の通信設定情報とを照合するＲＦＩＤタグエンコードシステムを提供する。
（２）第１及び第２の通信設定情報が、上記（１）に記載のＲＦＩＤタグエンコードシステムにおいて、ＲＦＩＤタグに係る出力、周波数、出力間隔、ＲＦＩＤの種類及びＲＦＩＤの横方向のピッチのうち少なくとも一つを含むＲＦＩＤタグエンコードシステムを提供する。
（３）制御部が、上記（１）又は（２）のいずれかに記載のＲＦＩＤタグエンコードシステムにおいて、第１の通信設定情報と第２の通信設定情報とが異なる場合に、作業を中断してオペレータへの通知を行ってもよい。
（４）制御部が、上記（１）ないし（３）のいずれかに記載のＲＦＩＤタグエンコードシステムにおいて、第１の通信設定情報と第２の通信設定情報とが異なる場合に、第２の通信設定情報を第１の通信設定情報に自動的に書き換えて作業を続行してもよい。
【発明の効果】
【０００６】
本発明によれば、ＲＦＩＤタグの通信設定情報について、必要な設定値の入力又は確認が自動で行われ、誤操作を防止するＲＦＩＤタグエンコードシステムを提供できる。また、ＲＦＩＤタグと通信する時に、最適な通信条件で通信することができるＲＦＩＤタグエンコードシステムを提供できる。
【図面の簡単な説明】
【０００７】
【図１】本発明の実施形態に係るＲＦＩＤタグエンコードシステムの正面図である。
【図２】ＲＦＩＤタグエンコードシステムのブロック図である。
【図３】ＲＦＩＤタグエンコードシステムの部分断面図である。
【図４】ＲＦＩＤタグエンコードシステムの搬送部の平面図である。
【図５】プレートに固定された状態のアンテナアッセンブリの平面図である。
【図６】メモリに格納された用紙の情報を示す図である。
【図７】ＲＦＩＤタグエンコードシステムの動作の一部を示すフローチャート図である。
【発明を実施するための形態】
【０００８】
以下、本発明の実施形態に係るＲＦＩＤ（Ｒａｄｉｏ  Ｆｒｅｑｕｅｎｃｙ  ＩＤｅｎｔｉｆｉｃａｔｉｏｎ）タグエンコードシステム１を添付図面に基づき詳細に説明する。
【０００９】
図１において、ＲＦＩＤタグエンコードシステム１は、用紙Ｐを供給する供給部１１と、供給部１１から搬送された用紙Ｐに印刷する印刷部１２と、印刷部１２で印刷された用紙Ｐを検査する検査部１３とを備える。供給部１１、印刷部１２及び検査部１３は、用紙Ｐの搬送方向Ｃに順次並んで配置されている。図中には、搬送方向Ｃを実線矢印で示した。
【００１０】
供給部１１は、連続紙である用紙Ｐを印刷部１２に供給している。ここで、用紙Ｐは折りたたまれた紙であってもよいし、ロール状に巻かれた連続紙あるいは単枚であってもよい。また、ＲＦＩＤタグＴが一列（単列）であってもよい。
【００１１】
印刷部１２は、用紙Ｐに対し、白黒印刷又はカラー印刷を行う。印刷方式は、インクジェット方式、乾式電子写真方式、熱転写方式等を用いることができる。印刷部１２には、種々の情報を表示する表示部１２０が設けられている。
【００１２】
検査部１３は、ＲＦＩＤタグＴに書き込まれたデータを読み出してデータの照合や用紙Ｐに印刷された文字、画像等が用紙Ｐに対してずれているか、用紙Ｐの皺、捩れ等が発生しているか等を検査する。また、印刷部で印字したページ数を検査することができる。
検査は、印刷された文字、画像等を撮影し、画像処理によって行うことができる。検査の方法は、他の方法であってもよい。検査で異常が発見された場合は、ＲＦＩＤタグエンコードシステム１を停止し、供給部１１、印刷部１２の保守点検作業を行う。
【００１３】
図２及び図３において、ＲＦＩＤタグエンコードシステム１は、ＲＦＩＤタグＴが複数列配置された用紙ＰのＲＦＩＤタグＴに読み書きを行うＲＦＩＤタグエンコードシステム１であって、用紙Ｐを搬送する搬送部である第１搬送部１１０と、各部の制御を行う制御部と、搬送過程において、ＲＦＩＤタグＴに予め書き込まれたデータを読み取る読取部２０、及び読取部２０の下流側に位置し、ＲＦＩＤタグＴにデータを書き込む書込部４０とを備えている。
【００１４】
供給部１１は、ＲＦＩＤタグＴのデータを、読取用アンテナを介して読み取る読取部２０と、ＲＦＩＤタグＴに書込用アンテナを介してデータを書き込む書込部４０とマーク検出部６０と第１搬送部１１０とを備えている。
【００１５】
印刷部１２は、ＲＦＩＤタグエンコードシステム１の各部を制御する制御部と、表示部１２０と、印字部と、操作部と、通信ドライバと、第２搬送部とを備えている。操作部では、操作者がＲＦＩＤタグエンコードシステム１を起動したり、ＲＦＩＤタグエンコードシステム１に必要な指令を与えたりする。通信ドライバによってコンピュータＰＣが制御部に接続される。ＲＦＩＤタグＴに書き込むデータ等はコンピュータＰＣから入力を行う。第２搬送部では、用紙Ｐを印刷部１２内で搬送する。第２搬送部は、センサで用紙Ｐを感知して駆動し始める。
【００１６】
検査部１３は、検証部と、カット部と、第３搬送部とを備えている。カット部では、検証部で検証したＲＦＩＤタグＴのデータが一致しないなど、ＲＦＩＤタグＴが不良の場合に、ＲＦＩＤタグＴ自体の一部をカットする。第３搬送部では、用紙Ｐを検査部１３内で搬送する。第３搬送部は、センサで用紙Ｐを感知して駆動し始める。
【００１７】
以下に、供給部１１を中心にＲＦＩＤタグエンコードシステム１について詳しく説明する。図２〜図４において、用紙Ｐは、台紙Ｄとアンテナ及びＩＣチップを内蔵したＲＦＩＤとＲＦＩＤを覆う印字媒体とを有したＲＦＩＤタグＴとを備えている。ＲＦＩＤタグＴは、例えば、連続した剥離紙の表面に１０列仮着けされている。ＲＦＩＤタグＴは１０列に限らず何列であってもよい。用紙Ｐは、ＲＦＩＤの両面に印字媒体を一体成形したＲＦＩＤタグＴであってもよい。
【００１８】
図３及び図４において、ＲＦＩＤタグＴが仮着けされた台紙Ｄは、モータＭによって駆動される駆動ローラＲ１と従動ローラＲ２に張架されたベルトＢによって搬送方向Ｃに搬送される。また、用紙Ｐの両端は、供給部１１に用紙Ｐが入る入り口の搬送方向Ｃに対して両側に配置された送りピンを有するガイド部材Ｇによって位置決めがされている。台紙Ｄの幅やＲＦＩＤタグＴの数、配列等は、ＲＦＩＤタグＴの用途によって異なる。
【００１９】
第１搬送部１１０は、吸引手段５０とマーク検出部６０とを備えている。吸引手段５０は、台紙Ｄを吸引してベルトＢと台紙Ｄを密着させる。ベルトＢと台紙Ｄとを密着させることにより、用紙Ｐに弛み等を生じさせることなく搬送できる。マーク検出部６０は、台紙Ｄの下側に予め設けられたマークを読み取る。
【００２０】
読取部２０は、ガイド部材Ｇの搬送方向Ｃ側に配置されている。ここで、読取部２０は、平面視において搬送方向Ｃと直交する方向に長い矩形状を有している。
【００２１】
図５において、読取部２０は、アンテナプレート２１とアンテナアセンブリ３０とを備えている。読取部２０は、図３に示した１０列に配置されるＲＦＩＤタグＴと１対１対応となるようにアンテナアセンブリ３０を１０個有する。ここで、アンテナアセンブリ３０は、アンテナプレート２１に千鳥状に配置されている。アンテナアセンブリ３０は、対応するＲＦＩＤタグＴに、非接触通信によって所定の書きこみ情報を書き込む。
【００２２】
図５において、アンテナアセンブリ３０は、平面視において略矩形状を有している。アンテナアセンブリ３０には、読み書き用のアンテナが配置され、ＩＣチップを内蔵したＲＦＩＤタグＴに内蔵されたアンテナと非接触通信を行う。ここで、アンテナアセンブリ３０は、長手方向を搬送方向Ｃに合わせて配置されている。アンテナプレート２１には、アンテナアセンブリ３０の平面形状に合わせて孔２２が形成されている。アンテナアセンブリ３０は、その一部が孔２２に挿入され、ネジ４０ａ、ネジ４０ｂ及びネジ４０ｃによって位置決め固定されている。ネジ４０ａ、ネジ４０ｂは、アンテナアセンブリ３０の長辺の一端側を固定し、ネジ４０ｃは、対向する長辺の対角側の一端を固定している。
【００２３】
ＲＦＩＤタグエンコードシステム１の動作のうち、主に供給部１１で行う動作は、読取部２０が、ＲＦＩＤタグＴに予め書き込まれた第１の通信設定情報に係るコードを読み取り、図２に示した制御部が、第１の通信設定情報と、制御部に予め設定されていたＲＦＩＤタグＴの第２の通信設定情報とを照合する。読取部２０は、第１の通信設定情報とともにＴＩＤ（Ｔａｇ  ＩＤｅｎｔｉｆｉｃａｔｉｏｎ）情報を読み取るようにしてもよい。
【００２４】
以下、ＲＦＩＤタグエンコードシステム１の動作についてより詳しく述べる。台紙Ｄに複数列配置されたＲＦＩＤタグＴには、予め用紙Ｐの情報である第１の通信設定情報に係るコードが書き込まれている。第１の通信設定情報に係るコードは、少なくとも先頭頁の先頭に配置したＲＦＩＤタグＴに書き込まれている。また全てのＲＦＩＤタグＴに第１の通信設定情報に係るコードが書き込まれてもよい。コードは、単なる番号でもよいし、電子製品コード（ＥＰＣ（Ｅｌｅｃｔｒｏｎｉｃ  Ｐｒｏｄｕｃｔ  Ｃｏｄｅ））として設定されていてもよい。
【００２５】
図６において、予め書き込まれる用紙Ｐの情報である第１の通信設定情報としては、ＲＦＩＤタグＴに係る出力、周波数、出力間隔、ＲＦＩＤタグＴの種類及びＲＦＩＤタグＴの横方向のピッチのうち少なくとも一つを含むことができる。
【００２６】
ＲＦＩＤタグＴが複数列配置されているので、読み込み、書き込みを同時に、または順次行うアンテナが存在する。アンテナ間の電波干渉を忌避する為に、照射する電波の出力は読み込み、書き込みに必要となる最小限の設定にする必要がある。
ＲＦＩＤタグＴが単列の場合は、第１の通信設定情報および第２の通信設定情報の横方向のピッチの項を設けなくてもよい。
【００２７】
ＲＦＩＤタグＴに係る出力とは、ＲＦＩＤタグＴのアンテナの形状やＩＣの種類により最適な出力が異なるために、読み書きを行うＲＦＩＤタグＴに合わせた出力である。出力は、１ｍＷから１Ｗまで、１ｍＷ単位で可変可能である。
【００２８】
周波数とは、隣り合うＲＦＩＤタグＴ間での電波干渉を避けるために、または個々のＲＦＩＤタグＴに最適な共振周波数にするために、ＲＦＩＤタグＴに加える電波の周波数をずらしたときの周波数である。周波数は、０．１ＭＨｚ単位で可変することができる。
【００２９】
ＲＦＩＤタグＴからの読込みは、ＲＦＩＤタグＴを動かしたまま、アンテナを通過させ読込みを行っている。このため、アンテナの読込みの最適な位置にＲＦＩＤタグＴが達した時点で、トリガ信号を出し、ＲＦＩＤタグＴにアクセスさせている。出力間隔は、アンテナが読込みに最適な位置に達したことを設定するためのものである。
【００３０】
ＲＦＩＤタグＴの種類とは、アンテナの形状やＩＣの種類が異なることを表している。横方向のピッチとは、ＲＦＩＤタグＴ間の台紙Ｄの搬送方向Ｃと直交する方向のピッチである。用紙Ｐに直交する方向のＲＦＩＤタグＴ同士の間隔（ピッチ）を示し、数値が大きいほど電波干渉が少なくなるので出力（ｍＷ）を大きくすることができる。逆に数値が小さいほど電波干渉の影響が受けやすいので出力を小さくするように設定することができる。
【００３１】
以下に、ＲＦＩＤタグエンコードシステムの動作の一部について説明する。図７において、先ず、ステップ１（Ｓ１）として、ジョブＩＤを入力する。その後、用紙Ｐを、ＲＦＩＤタグエンコードシステム１の送りピンを有するガイド部材Ｇにセットする。ジョブＩＤの入力は用紙Ｐをセットした後に行ってもよい。
【００３２】
ステップ１（Ｓ１）において、ジョブＩＤの入力が確認されると（ｙｅｓ）、第１搬送部１１０が初期駆動し、用紙Ｐが低速で搬送される。ジョブＩＤの入力がされないと（ｎｏ）、ジョブＩＤの入力待ちに戻る。
【００３３】
次に、ステップ２（Ｓ２）において、用紙Ｐが搬送され、台紙Ｄの下側に予め設けられたマークをマーク検出部６０が検出する（ｙｅｓ）と、ステップ３（Ｓ３）において、ＲＦＩＤタグＴが読取部２０の位置まで来ると、読取部２０が、予めＲＦＩＤタグＴに書込まれていた第１の通信設定情報に係るコードを読み取る。ステップ２（Ｓ２）において、マークをマーク検出部６０が検出しない場合は（ｎｏ）、マークをマーク検出部６０が検出するまで低速搬送する。
【００３４】
ステップ３（Ｓ３）において、予めＲＦＩＤタグＴに書込まれていた第１の通信設定情報に係るコードを読み取ると（ｙｅｓ）、ステップ４（Ｓ４）において、読み取った第１の通信設定情報は、表示部１２０に表示される。第１の通信設定情報に係るコードが読み取れない場合（ｎｏ）、読み取れるまで低速搬送するが、少なくとも一つのＲＦＩＤタグＴを読み取ることでステップ４（Ｓ４）に進む。表示部１２０に表示されるのは、ジョブＩＤと、メーカー名、商品名等である。
【００３５】
次に、ステップ５（Ｓ５）において、制御部によってジョブＩＤと用紙Ｐのコードが一致すると判断すると（ｙｅｓ）、ステップ６（Ｓ６）において、制御部が、制御部に予め設定されていたＲＦＩＤタグＴの第２の通信設定情報をＲＯＭから読み出し、第１の通信設定情報と、第２の通信設定情報とを照合する。一致すると、ステップ７（Ｓ７）でＣＨ設定、ステップ８（Ｓ８）で出力設定、ステップ９（Ｓ９）で出力間隔設定、ステップ１０（Ｓ１０）でＲＦＩＤタグＴの種類の設定、ステップ１１（Ｓ１１）でＲＦＩＤタグＴの横方向ピッチの設定を行う。これらの設定の順番は、特に限定されない。
【００３６】
ステップ１２（Ｓ１２）において、予めＲＦＩＤタグＴに書込まれていた第１の通信設定情報に係るコードを消去する。これらの設定が終了した後、ＲＦＩＤタグＴへの書き込みのフローを開始する。ここで、コードの消去は、ＲＦＩＤタグＴへの書き込みによる上書きによって消去してもよい。
【００３７】
ステップ５（Ｓ５）において、制御部によってジョブＩＤと用紙Ｐのコードが一致すると判断されないと（ｎｏ）、ステップ１３（Ｓ１３）で、オペレータに対し表示部１２０等でエラー報知を行い、符号等の再入力を促す。ステップ１４（Ｓ１４）で、符号等の再入力がされれば（ｙｅｓ）、ジョブＩＤ入力待ちに戻る。再入力されないと（ｎｏ）終了する。
【００３８】
以上述べたＲＦＩＤタグエンコードシステムの動作のステップ６（Ｓ６）において、制御部が、第１の通信設定情報と第２の通信設定情報とが異なる場合に、作業を中断してオペレータへの通知を行なってもよい。
【００３９】
一方、ＲＦＩＤタグＴの情報を優先することを選択していれば、ステップ６（Ｓ６）において、装置を止めることなく、制御部側の通信設定情報をＲＦＩＤタグ側の情報に自動的に書き換えて作業を続行してもよい。
【００４０】
実施形態によれば、台紙に複数列配置されたＲＦＩＤタグの用紙をセットすることで、ＲＦＩＤタグの通信設定情報について、設定値の入力又は確認が行われ、誤操作を防止するＲＦＩＤタグエンコードシステムを提供できる。また、ＲＦＩＤタグに対して最適な通信を行うことができ、用紙搬送を高速化した場合でも書き込みや読み出しを確実に行うことができ歩留まりがよく生産性が向上する。
【００４１】
実施形態では、印刷も可能なＲＦＩＤタグエンコードシステム１について述べたが、印刷を行わないＲＦＩＤタグエンコードシステムについても適用できる。
【符号の説明】
【００４２】
１  ＲＦＩＤタグエンコードシステム
１１  供給部
１２  印刷部
１３  検査部
２０  読取部
２１  アンテナプレート
２２  孔
３０  アンテナアセンブリ
４０  書込部
４０ａ、４０ｂ、４０ｃ  ネジ
５０  吸引手段
６０  マーク検出部
１１０  第１搬送部
１２０  表示部
Ｂ  ベルト
Ｃ  搬送方向
Ｄ  台紙
Ｇ  ガイド部材
Ｍ  モータ
Ｐ  用紙
Ｒ１  駆動ローラ
Ｒ２  従動ローラ
Ｔ  ＲＦＩＤタグ
【図１】
2015176173.tif 000003
【図２】
2015176173.tif 000004
【図３】
2015176173.tif 000005
【図４】
2015176173.tif 000006
【図５】
2015176173.tif 000007
【図６】
2015176173.tif 000008
【図７】
2015176173.tif 000009